(57)【要約】【課題】電磁界プローブを評価対象物に近接配置することができ評価対象物が発する電磁波を精度良く検出することができる電磁界可視化装置を提供する。【解決手段】電磁界可視化装置１００は、電磁波プローブ１１０を備えている。電磁界プローブ１１０は、評価対象物ＷＫが発する電磁波ノイズを検出してスペクトラムアナライザ１０５を介してコンピュータ装置１０１に出力する。電磁界プローブ１１０には、ループアンテナ１１２の外形よりも小さい外形でかつ貫通孔１１２ａを塞ぐ大きさに形成されるとともに貫通孔１１２ａを塞ぐ部分が撮像装置１０４で撮像可能な色に着色されたループ閉塞体１１３が設けられている。コンピュータ装置１０１は、撮像装置１０４から取得した評価対象物ＷＫの撮像画像情報の中からループ閉塞体１１３の色によってループアンテナ１１２の位置を特定するとともに特定した位置に電磁波ノイズの強さを対応付けて表示装置１０３に表示させる。【選択図】  図１
2017096860.tif 000002
【特許請求の範囲】
【請求項１】
電子回路を有する評価対象物から発生する電磁波を検出するループアンテナを有する電磁界プローブと、
前記評価対象物および同評価対象物の周辺に位置する前記ループアンテナを撮像する撮像手段と、
前記電磁界プローブの検出信号を用いて前記電磁波の周波数特性を測定するスペクトラムアナライザと、
前記撮像手段の撮像画像から前記ループアンテナの位置を特定するアンテナ特定手段と、
前記アンテナ特定手段で特定した前記ループアンテナの位置に前記スペクトラムアナライザで測定した周波数特性を対応付ける特性位置対応付け手段と、
前記撮像手段の撮像画像上に前記特性位置対応付け手段で対応付けた前記周波数特性を表す画像を表示する表示手段とを備える電磁界可視化装置であって、
前記電磁界プローブは、
前記ループアンテナの外形よりも小さい外形でかつ同ループアンテナの貫通孔を塞ぐ大きさに形成されるとともに前記貫通孔を塞ぐ部分が前記撮像手段で撮像可能な色に着色されているループ閉塞体を有し、
前記アンテナ特定手段は、
前記ループ閉塞体の色を検出することによって前記ループアンテナの位置を特定することを特徴とする電磁界可視化装置。
【請求項２】
請求項１に記載した電磁界可視化装置において、
前記ループ閉塞体は、
樹脂材、紙材または布材をシート状に形成して構成されていることを特徴とする電磁界可視化装置。
【請求項３】
請求項１に記載した電磁界可視化装置において、
前記ループ閉塞体は、
前記ループアンテナの貫通孔内に弾性変形した状態で挿入可能な弾性体で構成されていることを特徴とする電磁界可視化装置。
【請求項４】
請求項１ないし請求項３のうちのいずれか１つに記載した電磁界可視化装置において、
前記ループ閉塞体は、
前記ループアンテナに対して着脱自在であることを特徴とする電磁界可視化装置。
【請求項５】
請求項１ないし請求項３のうちのいずれか１つに記載した電磁界可視化装置において、
前記撮像手段は、
前記偏光フィルタが設けられていることを特徴とする電磁界可視化装置。
【発明の詳細な説明】
【技術分野】
【０００１】
本発明は、電子回路を有する評価対象物が発する電磁波の状態を可視化する電磁界可視化装置に関する。
【背景技術】
【０００２】
従来から、電子回路を有する電子機器（例えば、家電、情報端末または自動車用の電子制御装置など）が発する電磁波を把握するために電磁界可視化装置がある。例えば、下記特許文献１には、電子機器から発する電磁波を検出する電磁界プローブに発光素子を設けることによって中央制御装置において電磁界プローブの位置を認識できるようにした電磁界可視化装置が開示されている。
【先行技術文献】
【特許文献】
【０００３】
【特許文献１】特開２００３−６６０７９号公報
【０００４】
しかしながら、上記特許文献１に記載された電磁界可視化装置においては、電磁界プローブの外縁部に発光素子を備えているため、電磁界プローブを評価対象物に近接配置することが困難で評価対象物が発する電磁波の検出精度が低いという問題があった。
【０００５】
本発明は上記問題に対処するためなされたもので、その目的は、電磁界プローブを評価対象物に近接配置することができ評価対象物が発する電磁波を精度良く検出することができる電磁界可視化装置を提供することにある。
【発明の概要】
【０００６】
上記目的を達成するため、本発明の特徴は、電子回路を有する評価対象物から発生する電磁波を検出するループアンテナを有する電磁界プローブと、評価対象物および同評価対象物の周辺に位置するループアンテナを撮像する撮像手段と、電磁界プローブの検出信号を用いて電磁波の周波数特性を測定するスペクトラムアナライザと、撮像手段の撮像画像からループアンテナの位置を特定するアンテナ特定手段と、アンテナ特定手段で特定したループアンテナの位置にスペクトラムアナライザで測定した周波数特性を対応付ける特性位置対応付け手段と、撮像手段の撮像画像上に特性位置対応付け手段で対応付けた周波数特性を表す画像を表示する表示手段とを備える電磁界可視化装置であって、電磁界プローブは、ループアンテナの外形よりも小さい外形でかつ同ループアンテナの貫通孔を塞ぐ大きさに形成されるとともに貫通孔を塞ぐ部分が光を透過しない程度に着色されているループ閉塞体を有し、アンテナ特定手段は、ループ閉塞体の色を検出することによってループアンテナの位置を特定することにある。
【０００７】
このように構成した本発明の特徴によれば、電磁界可視化装置は、電磁界プローブに設けられるループ閉塞体がループアンテナの外形よりも小さい外形でかつ同ループアンテナの貫通孔を塞ぐ大きさに形成されるとともにこの貫通孔を塞ぐ部分が撮像手段で撮像可能な色に着色（換言すれば、光が透過しない程度に着色）されているため、ループアンテナを評価対象物に近接配置しながらアンテナ特定手段はループアンテナの位置を特定することができる。この結果、本発明に係る電磁界可視化装置によれば、電磁界プローブを評価対象物に近接配置して評価対象物が発する電磁波を精度良く検出することができる。
【０００８】
また、本発明の他の特徴は、前記電磁界可視化装置において、ループ閉塞体は、樹脂材、紙材または布材をシート状に形成して構成されていることにある。
【０００９】
このように構成した本発明の他の特徴によれば、電磁界可視化装置は、ループ閉塞体が樹脂材（例えば、スポンジなど）、紙材（例えば、ボール紙など）または布材（例えば、フェルトなど）をシート状に形成して構成されているため、ループアンテナの大型化および重量化を抑えることができる。この場合、シート状には、水平姿勢時に自重では撓まない板状のほか、シート状よりも厚さが薄いフィルム状も含まれる。また、ループ閉塞体は、円板に形成できるほか、三角形や方形などの多角形状に形成することもできる。
【００１０】
また、本発明の他の特徴は、前記電磁界可視化装置において、ループ閉塞体は、ループアンテナの貫通孔内に弾性変形した状態で挿入可能な弾性体で構成されていることにある。
【００１１】
このように構成した本発明の他の特徴によれば、電磁界可視化装置は、ループ閉塞体がループアンテナの貫通孔内に弾性変形した状態で挿入可能な弾性体で構成されているため、ループアンテナへの脱着を容易に行うことができる。
【００１２】
また、本発明の他の特徴は、前記電磁界可視化装置において、ループ閉塞体は、ループアンテナに対して着脱自在であることにある。
【００１３】
このように構成した本発明の他の特徴によれば、電磁界可視化装置は、ループ閉塞体がループアンテナに対して着脱自在であるため、電磁波を測定中にループ閉塞体を取り外してループアンテナと評価対象物との位置関係を確認して測定作業を行い易くすることができる。また、電磁界可視化装置は、電磁界プローブを収納する際などループ閉塞体が不要な場合にループ閉塞体をループアンテナから取り外して収納することができる。
【００１４】
また、本発明の他の特徴は、前記電磁界可視化装置において、撮像手段は、偏光フィルタが設けられていることにある。
【００１５】
このように構成した本発明の他の特徴によれば、電磁界可視化装置は、撮像手段が偏光フィルタを備えているため、ループ閉塞体からの鏡面反射光を除去することによりアンテナ特定手段によるループ閉塞体の識別精度を向上させることができる。
【図面の簡単な説明】
【００１６】
【図１】本発明の一実施形態に係る電磁界可視化装置の装置構成の概略を示した模式図である。
【図２】図１に示した電磁界可視化装置における電磁界プローブであってループ閉塞体の装着前の外観構成の概略を示す斜視図である。
【図３】図１に示した電磁界可視化装置における電磁界プローブであってループ閉塞体を装着した外観構成の概略を示す斜視図である。
【図４】図３に示す電磁界プローブの縦断面図である。
【図５】本発明の変形例に係る電磁界プローブであってループ閉塞体を装着した外観構成の概略を示す斜視図である。
【図６】本発明の他の変形例に係る電磁界プローブであってループ閉塞体を装着した状態の断面図である。
【発明を実施するための形態】
【００１７】
以下、本発明に係る電磁界可視化装置の一実施形態について図面を参照しながら説明する。図１は、本発明に係る電磁界可視化装置１００の装置構成の概略を示した模式図である。なお、本明細書において参照する各図は、本発明の理解を容易にするために一部の構成要素を誇張して表わすなど模式的に表している。このため、各構成要素間の寸法や比率などは異なっていることがある。
【００１８】
この電磁界可視化装置１００は、トランジスタ、ダイオード、抵抗、コンデンサーなどの回路素子Ｓおよびこれらの回路素子Ｓをパッケージ化したＩＣやＬＳＩなどからなる電子回路を有して構成された電子回路基板からなる評価対象物ＷＫが発する電磁波ノイズを検出してディスプレイ上に可視化する装置である。
【００１９】
（電磁界可視化装置１００の構成）
電磁界可視化装置１００は、コンピュータ装置１０１を備えている。コンピュータ装置３０１は、ＣＰＵ、ＲＯＭ、ＲＡＭ、ハードディスクなどからなるマイクロコンピュータによって構成された所謂パソコンであり、入力装置１０２および表示装置１０３をそれぞれ備えている。入力装置１０２は、作業者からの指示を入力するためにキーボードおよびマウスからなる機器で構成されている。また、表示装置１０３は、コンピュータ装置１０１の作動状態および電磁波ノイズの測定結果などを表示するために液晶ディスプレイで構成されている。
【００２０】
このコンピュータ装置１０１は、撮像装置１０４およびスペクトラムアナライザ１０５がそれぞれ接続されており、図示しない各種制御プログラムを実行することによって評価対象物ＷＫが発する電磁波ノイズ情報を取得し記憶するとともに表示装置１０３に表示させる。なお、コンピュータ装置１０１は、撮像装置１０４およびスペクトラムアナライザ１０５の各作動を制御することができれば、どのような形式のコンピュータ装置であってもよい。
【００２１】
撮像装置１０４は、評価対象物ＷＫおよびこの評価対象物ＷＫ上を走査される電磁界プローブ１１０を撮像するための光学機械装置であり、評価対象物ＷＫを撮像するために評価対象物ＷＫに対向配置されている。この撮像装置１０４は、撮像したカラーの画像情報である撮像画像情報をコンピュータ装置１０１に出力する。本実施形態においては、撮像装置１０４は、ＣＣＤ（Charge Coupled Device）イメージセンサを用いて構成されている。すなわち、この撮像装置１０４が、本発明に係る撮像手段に相当する。
【００２２】
この撮像装置１０４は、撮像レンズに偏光フィルタ１０４ａが設けられている。偏光フィルタ１０４ａは、入射した光のうち特定の偏光方向を有する光のみ透過させる光学素子である。本実施形態においては、偏光フィルタ１０４ａは、ループ閉塞体からの鏡面反射光を除去する。なお、撮像装置１０４は、評価対象物ＷＫおよびこの評価対象物ＷＫ上を走査される電磁界プローブ１１０の撮像画像情報を出力できればよく、ＣＣＤイメージセンサ以外の撮像素子、例えば、ＣＭＯＳ（Complementary Metal Oxide Semiconductor）イメージセンサなどであってもよい。
【００２３】
スペクトラムアナライザ１０５は、電磁界プローブ１１０によって検出された電磁波ノイズの周波数特性を測定する電気計測器（所謂スペアナ）であり、コンピュータ装置１０１によって作動が制御される。具体的には、スペクトラムアナライザ１０５は、コンピュータ装置１０１によって指示された周波数成分における電磁波ノイズの強度を測定してコンピュータ装置１０１に出力する。
【００２４】
電磁界プローブ１１０は、評価対象物ＷＫ放出される電磁波からなるノイズ（以下、「電磁波ノイズ」という）を測定するための検出器であり、検出した電磁波に対する検出信号をスペクトラムアナライザ１０５に出力する。この電磁界プローブ１１０は、図２に示すように、棒状の把持部１１１の一方の先端部に円環状のループアンテナ１１２が設けられているとともに他方の端部が電線を介してスペクトラムアナライザ１０５に接続されている。そして、電磁界プローブ１１０におけるループアンテナ１１２には、図３に示すように、ループ閉塞体１１３が設けられている。
【００２５】
ループ閉塞体１１３は、コンピュータ装置１０１が前記撮像画像情報からループアンテナ１１２を特定するための部品であり、紙材（本実施形態においてはボール紙）を円板状に形成して構成されている。この場合、ループ閉塞体１１３は、ループアンテナ１１２の外径よりも大きくかつループアンテナ１１２の内径よりも小さい外径の円板形状に形成されている。
【００２６】
また、このループ閉塞体１１３は、コンピュータ装置１０１における画像処理において認識し易い色、具体的には光を透過させない程度に着色して構成されている。この場合、ループ閉塞体１１３を着色する色は、ループアンテナ１１２の背景にある評価対象物ＷＫとは異なる色がよい。本実施形態においては、ループ閉塞体１１３は、両面の全面がそれぞれ赤色に着色されている。
【００２７】
そして、このループ閉塞体１１３は、ループアンテナ１１２の両面のうちの一方の面上にループアンテナ１１２の貫通孔１１２ａを覆う状態で両面テープ（図示せず）によって貼り付けられている。なお、ループ閉塞体１１３は、ループアンテナ１１２に取り付けられていればよく、両面テープ以外の取付手段、例えば、接着剤や面ファスナなどを用いてもよい。また、電磁界プローブ１１０は、評価対象物ＷＫから発生する電界を検出するように構成されているが、電界に代えてまたは加えて磁界を検出するように構成することもできる。
【００２８】
（電磁界可視化装置１００の作動）
次に、上記のように構成した電磁界可視化装置１００の作動について説明する。まず、評価対象物ＷＫの電磁波の発生状態を測定しようとする作業者は、電磁界プローブ１１０のループアンテナ１１２にループ閉塞体１１３を取り付ける。具体的には、電磁界プローブ１１０、ループ閉塞体１１３および両面テープをそれぞれ用意した後、ループ閉塞体１１３をループアンテナ１１２に両面テープで貼り付けて取り付ける。この場合、作業者は、赤色などの色のボール紙を円形に切り抜いてループ閉塞体１１３を用意することができる。
【００２９】
次に、作業者は、評価対象物ＷＫの電磁波ノイズの測定を行う。具体的には、作業者は、コンピュータ装置１０１、撮像装置１０４およびスペクトラムアナライザ１０５の各電源をそれぞれＯＮにした後、コンピュータ装置１０１を操作してノイズ可視化プログラムを実行させる。このノイズ可視化プログラムは、電磁界プローブ１１０およびスペクトラムアナライザ１０５をそれぞれ介して入力される電磁波ノイズの強度を撮像装置１０４で撮像した撮像画像上にリアルタイムに表示させるコンピュータプログラムであり、コンピュータ装置１０１の記憶装置に予め記憶されている。このノイズ可視化プログラムにおける電磁波ノイズの可視化処理は、主として、次のサブステップ１〜サブステップ４の各処理によって構成されている。
【００３０】
サブステップ１：まず、コンピュータ装置１０１は、評価対象物ＷＫの撮像画像情報を入力する。具体的には、コンピュータ装置１０１は、撮像装置１０４の作動を制御して評価対象物ＷＫを撮像した撮像画像情報を入力してリアルタイムに表示装置１０３に表示させる。
【００３１】
サブステップ２：次に、コンピュータ装置１０１は、評価対象物ＷＫが発生させる電磁波ノイズを入力する。この場合、作業者は、評価対象物ＷＫの作動を開始させた後、電磁界プローブ１１０の把持部１１１を把持してループアンテナ１１２を評価対象物ＷＫにおける電磁波ノイズを測定したい場所に位置させる。これにより、コンピュータ装置１０１には、評価対象物ＷＫ上におけるループアンテナ１１２の配置位置に応じた電磁波の測定情報がスペクトラムアナライザ１０５を介して連続的に入力される。
【００３２】
サブステップ３：次に、コンピュータ装置１０１は、評価対象物ＷＫの撮像画像情報のなかから電磁界プローブ１１０のループアンテナ１１２を表す画像情報を特定する。具体的には、コンピュータ装置１０１は、撮像装置１０４から入力した撮像画像情報のなかからループアンテナ１１２を表す色の情報を抽出する。この場合、コンピュータ装置１０１には、ループアンテナ１１２を特定するための色の情報（本実施形態においては赤色）およびこの色の大きさ（面積）に関する情報が予め設定されている。
【００３３】
したがって、コンピュータ装置１０１は、撮像装置１０４から入力した撮像画像情報のなかから前記色の情報および前記色の大きさの情報に適合する情報を抽出する。これにより、コンピュータ装置１０１は、撮像画像情報内におけるループアンテナ１１２の位置をループ閉塞体１１３の色を介して特定することができる。すなわち、このコンピュータ装置１０１が、本発明に係るアンテナ特定手段に相当する。
【００３４】
サブステップ４：次に、コンピュータ装置１０１は、ループアンテナ１１２の位置に対して電磁波ノイズを対応付けて表示装置１０３上に表示する。具体的には、コンピュータ装置１０１は、撮像画像情報内で特定したループアンテナ１１２の位置に電磁波ノイズを表す色を割り当てて表示装置１０３に表示させる。すなわち、このコンピュータ装置１０１が、本発明に係る特定位置対応付け手段に相当する。
【００３５】
この場合、コンピュータ装置１０１は、作業者によって予め設定された周波数の電磁波について電磁波ノイズとして色を割り当てる。また、この場合、コンピュータ装置１０１は、所定の閾値以上の強さの電磁波ノイズに対して１つの色を割り当ててもよいし、電磁波ノイズの強さに応じて互いに異なる複数の色を割り当てるようにしてもよい。
【００３６】
これにより、作業者は、表示装置１０３を目視することで、表示装置１０３に映し出された評価対象物ＷＫ上において電磁波ノイズの発生状況を視覚的に認識することができる。また、コンピュータ装置１０１は、このステップ４の実行後ステップ１に戻って評価対象物ＷＫの撮像画像情報の入力処理を実行して、ステップ１〜ステップ４を繰り返し実行する。これにより、作業者は、評価対象物ＷＫ上でループアンテナ１１２を動かすことによって評価対象物ＷＫ上の位置ごとに電磁波ノイズの発生状況をリアルタイムで視覚的に認識することができる。
【００３７】
そして、作業者は、電磁波ノイズの可視化作業を終了する際には、評価対象物ＷＫ，コンピュータ装置１０１、撮像装置１０４およびスペクトラムアナライザ１０５の作動を停止させるとともに、ループアンテナ１１２からループ閉塞体１１３を取り外す。
【００３８】
上記作動説明からも理解できるように、上記実施形態によれば、電磁界可視化装置１００は、電磁界プローブ１１０に設けられるループ閉塞体１１３がループアンテナ１１２の外形よりも小さい外形でかつ同ループアンテナ１１２の貫通孔１１２ａを塞ぐ大きさに形成されるとともにこの貫通孔１１２ａを塞ぐ部分が撮像装置１０４で撮像可能な色に着色（換言すれば、光が透過しない程度に着色）されているため、ループアンテナ１１２を評価対象物ＷＫに近接配置しながらコンピュータ装置１０１はループアンテナ１１２の位置を特定することができる。この結果、本発明に係る電磁界可視化装置１００によれば、電磁界プローブ１１０を評価対象物ＷＫに近接配置して評価対象物ＷＫが発する電磁波を精度良く検出することができる。
【００３９】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００４０】
例えば、上記実施形態においては、作業者は、ループ閉塞体１１３は、紙材を円板状に形成して構成した。しかし、ループ閉塞体１１３は、ループアンテナ１１２の外形よりも小さい外形でかつ同ループアンテナ１１２の貫通孔１１２ａを塞ぐ大きさに形成されるとともにこの貫通孔１１２ａを塞ぐ部分が撮像装置１０４で撮像可能な程度の濃さの色に着色されていればよい。したがって、ループ閉塞体１１３は、紙材以外の材料、例えば、樹脂材や布材で構成することもできる。
【００４１】
また、ループ閉塞体１１３は、剛性を有する板状のほか、可撓性を有するシート状やフィルム状に形成することができる。これらの場合、ループ閉塞体１１３は、例えば、図４に示すように、透明な樹脂フィルム材を円形に形成するとともに、外縁部にのみ着色して中心部を透明に構成することができる。この場合、着色部分は、ループアンテナ１１２の内周面により内側、すなわち、着色部分の内径が貫通孔１１２ａの内径よりも小さくするとよい。これによれば、作業者は、ループ閉塞体１１３の死角を減らしてループ閉塞体１１３の前方を確認しながら電磁界プローブ１１０の操作を行うことができる。なお、ループ閉塞体１１３は、透明な樹脂フィルム材を円形に形成するとともに、中心部のみを着色して外縁部を透明に構成することもできる。
【００４２】
また、ループ閉塞体１１３は、板状、シート状またはフィルム状のほかに、例えば、柱状に形成することができる。具体的には、ループ閉塞体１１３は、スポンジのように合成樹脂材を弾性変形可能な柱状に形成してループアンテナ１１２の貫通孔１１２ａ内に弾性変形させた状態で装着することができる。これによれば、ループ閉塞体１１３は、ループアンテナ１１２への着脱が容易になる。
【００４３】
また、ループ閉塞体１１３は、ループアンテナ１１２に装着時に端面が曲面に変形することで反射光が分散されるため撮像装置１０４への鏡面反射光の入射量が減少するため、ループ閉塞体１１３の検出精度を向上させることができる。また、ループ閉塞体１１３は、多孔質体で構成することで反射光が分散されるため撮像装置１０４への鏡面反射光の入射量が減少するため、ループ閉塞体１１３の検出精度を向上させることができる。
【００４４】
また、上記実施形態においては、ループ閉塞体１１３は、赤色で構成した。しかし、ループ閉塞体１１３は、コンピュータ装置１０１において識別できる色であればよい。したがって、ループ閉塞体１１３は、赤色以外の色、緑色、青色などの色を単色、これらの色を適宜組合せて、またはこれらの色を適宜混合した色で構成することができる。これらの場合、ループ閉塞体１１３は、ループアンテナ１１２の背景の色、すなわち、評価対象物ＷＫの色とは異なる色で構成するとよい。
【００４５】
また、上記実施形態においては、ループ閉塞体１１３は、ループアンテナ１１２に対して両面テープで装着することにより着脱自在に構成した。しかし、ループ閉塞体１１３は、例えば、接着剤でループアンテナ１１２に取り付けることにより着脱不能な固定状態で取り付けることもできる。
【００４６】
また、上記実施形態においては、電磁ノイズの発生状態を表示装置１０３に表示するように構成した。すなわち、表示装置１０３が、本発明に係る表示手段に相当する。しかし、表示手段は、電磁ノイズの発生状態を可視化できるものであればよい。したがって、表示手段としては、表示装置１０３以外に、例えば、印刷装置で構成することができる。
【００４７】
また、上記実施形態においては、撮像装置１０４に偏光フィルタ１０４ａを設けた。これにより、コンピュータ装置１０１は、ループ閉塞体１１３からの鏡面反射光の入射が押えられることによりループ閉塞体１１３の色を精度良く識別することができる。しかし、コンピュータ装置１０１は、偏光フィルタ１０４ａを省略してもループ閉塞体１１３の色を識別自体は可能なため、偏光フィルタ１０４ａを省略して構成することもできる。
【００４８】
また、上記実施形態においては、電磁界可視化装置１００は、評価対象物ＷＫが発する電磁波の強さを色で表示するように構成した。しかし、電磁界可視化装置１００は、評価対象物ＷＫが発する電磁波の周波数特性を作業者が認識できる形態で表示すればよい。したがって、電磁界可視化装置１００は、評価対象物ＷＫが発する電磁波の周波数ごとに異なる色、図形または数値で表示するように構成することもできる。
【符号の説明】
【００４９】
Ｓ…回路素子、ＷＫ…評価対象物、
１００…電磁界可視化装置、１０１…コンピュータ装置、１０２…入力装置、１０３…表示装置、１０４…撮像装置、１０４ａ…偏光フィルタ、１０５…スペクトラムアナライザ、
１１０…電磁界プローブ、１１１…把持部、１１２…ループアンテナ、１１２ａ…貫通孔、
１１３…ループ閉塞体。
【図１】
2017096860.tif 000003
【図２】
2017096860.tif 000004
【図３】
2017096860.tif 000005
【図４】
2017096860.tif 000006
【図５】
2017096860.tif 000007
【図６】
2017096860.tif 000008